(57)【要約】【課題】多少の寸法誤差が生じても、ターミナルフェンスの係止片の係合孔に対して、ターミナルカバーの突起の嵌合を確保できると共に、嵌着後に大きなガタツキが生じないようにした電動圧縮機のターミナル保護部材を提供する。【解決手段】密閉容器１の蓋体１ａに装着したターミナル２を、当該蓋体１ａに固定したターミナルフェンス４と、このターミナルフェンス４に嵌着するターミナルカバー５とから成る保護部材１０で保護する電動圧縮機のターミナル保護部材において、ターミナルフェンス４に形成された係止片７の係合孔７ａに嵌合すべくターミナルカバー５に形成された突起８は、上端部に下向き傾斜面８ａが形成されると共に下端部に上向き傾斜面８ｂが形成される。係止片７の係合孔７ａと、突起８との位置関係に多少の寸法誤差が生じても、突起８の下向き傾斜面８ａにより吸収されるため、突起８の嵌合を確保すると共に嵌着後に大きなガタツキが生じることもない。【選択図】図２
2010013986.tif 000002
【特許請求の範囲】
【請求項１】
電動機構部と、この電動機構部により作動される圧縮機構部とを収納した密閉容器に、前記電動機構部へ通電するためのターミナルが装着され、当該ターミナルの外部電気接続部を保護するためにターミナルフェンスと、このターミナルフェンスに落とし込んで嵌着するターミナルカバーとからなる保護部材が取り付けられた電動圧縮機において、前記ターミナルフェンスに形成された係止片の係合孔に嵌合すべく前記ターミナルカバーに形成された突起は、その上端部が下向きに傾斜する傾斜面に形成されると共に、下端部が上向きに傾斜する傾斜面に形成されていることを特徴とする電動圧縮機のターミナル保護部材。
【発明の詳細な説明】
【技術分野】
【０００１】
本発明は、電動圧縮機に係るもので、特に密閉容器に装着したターミナルを保護するための保護部材の改良に関する。
【背景技術】
【０００２】
一般に、電動圧縮機は密閉容器内に電動機構部と、この電動機構部により作動される圧縮機構部とが収納され、当該密閉容器にはターミナルが装着され、このターミナルを介して前記電動機構部に通電して圧縮機構部を作動させる。そして、導入管により圧縮機構部に気体（通常は冷媒）を導入して圧縮すると共に、密閉容器内に吐出された高圧気体を吐出管により外部に取り出す。
【０００３】
前記ターミナルは、図４に示すように密閉容器１の外部に位置する外部電極２ａと、電源側の複数本のコード３の先端に取り付けられたコネクタ３ａとが電気接続されると共に、図示は省略したが密閉容器１の内部に位置する内部電極と、前記電動機構部の固定子（ステータ）とがリード線により電気接続される。
【０００４】
このターミナル２は、外部電極２ａと電源側コード３のコネクタ３ａとの接続部が露出してしまう。このようにターミナル２の電気接続部が外部に露出していると、塵や埃が付着し或は水分が付着して絶縁性の低下や通電不良等を引き起こすことがある。
【０００５】
このような事態に対処するために、ターミナルの外部電気接続部を保護するようにした従来技術が特許文献１、２等に開示されている。
【特許文献１】特開２００８−７５５４７
【特許文献２】特開２００６−２２００００
【発明の開示】
【発明が解決しようとする課題】
【０００６】
図４のように、ターミナル２の外部電気接続部を保護する保護部材が、ターミナルフェンス４と、このターミナルフェンス４に落とし込んで嵌着するターミナルカバー５とから成る場合には、ターミナルフェンス４の側部に形成されて複数の受止片６の内側に、ターミナルカバー５の側壁部分を嵌め込むと共に、ターミナルフェンス４の端部に対設された係止片７の係合孔７ａに、ターミナルカバー５の端壁下部に設けられた突起８を嵌合係止する構成である。
【０００７】
この場合、図５（ｂ）に示すようにターミナルカバー５の突起８が、ターミナルフェンス４の係止片７の係合孔７ａに嵌合した際に、ターミナルカバー５の下縁がターミナルフェンス４の基板４ａの上面に当接する。
【０００８】
しかしながら、図５（ａ）のようにターミナルカバー５の下縁から突起８の上縁までの距離Ａと、ターミナルフェンス４の基板４ａの上面から係合孔７ａの上縁までの距離Ｂとの寸法管理が難しく、図６のように距離Ａが距離Ｂより少し大きくて誤差Ｃが生じると、突起８が係止片７の係合孔７ａに嵌合しないうちにターミナルカバー５の下縁がターミナルフェンス４の基板４ａの上面に当接してしまい、それ以上下降できないため突起８が係合孔７ａに嵌合しないといった不具合が発生する。上記距離Ａを距離Ｂよりかなり小さい寸法に設定すれば係合孔７ａに対する突起８の不嵌合を防ぐことはできるが、ターミナルカバー５の嵌着後にガタツキが生じ易くなってしまう。
【０００９】
本発明は、このような従来技術における不具合を解消するためになされ、多少の寸法誤差が生じても、ターミナルフェンスの係止片の係合孔に対して、ターミナルカバーの突起を確実に嵌合できると共に、嵌着後に大きなガタツキが生じないようにした電動圧縮機のターミナル保護部材を提供することを目的とする。
【課題を解決するための手段】
【００１０】
上記の目的を達成するための手段として、本発明は、電動機構部と、この電動機構部により作動される圧縮機構部とを収納した密閉容器に、前記電動機構部へ通電するためのターミナルが装着され、当該ターミナルの外部電気接続部を保護するためにターミナルフェンスと、このターミナルフェンスに落とし込んで嵌着するターミナルカバーとからなる保護部材が取り付けられた電動圧縮機において、前記ターミナルフェンスに形成された係止片の係合孔に嵌合すべく前記ターミナルカバーに形成された突起は、その上端部が下向きに傾斜する傾斜面に形成されると共に、下端部が上向きに傾斜する傾斜面に形成されている電動圧縮機のターミナル保護部材を特徴とする。
【発明の効果】
【００１１】
本発明によれば、ターミナルフェンスと、このターミナルフェンスに落とし込んで嵌着するターミナルカバーとから成る保護部材が取り付けられた電動圧縮機において、前記ターミナルフェンスに形成された係止片の係合孔に嵌合すべく前記ターミナルカバーに形成された突起は、その上端部が下向きに傾斜する傾斜面に形成されると共に、下端部が上向きに傾斜する傾斜面に形成されているため、係止片の係合孔の位置に対してターミナルカバーの突起の位置が多少ずれたとしても、その寸法誤差を上端部の下向き傾斜面が吸収することができる。これにより、ターミナルフェンスの係止片の係合孔に対してターミナルカバーの突起の嵌合を確保できると共に、嵌着後に大きなガタツキが生じることもない。
【発明を実施するための最良の形態】
【００１２】
次に、本発明の実施形態を添付図面に基づいて説明する。
図１は、本発明に係る電動圧縮機のターミナル保護部材の実施形態を示す概略分解斜視図である。図４に示す従来例と実質的に同じ部材は前記と同じ符号を付けて説明する。
【００１３】
図１において、１は密閉容器であり、この密閉容器１の蓋体１ａの頂部にターミナル２が貫通して固定されている。このターミナル２の外部電極２ａには電源側の複数本のコード３の先端に取り付けられたコネクタ３ａが電気接続されると共に、図示は省略したが密閉容器１の内部に位置する内部電極には、密閉容器１内に収納されている電動機構部の固定子（ステータ）に通電するためのリード線が電気接続されている。尚、９はターミナルカバー５内に収納されるリレー部品である。
【００１４】
４は剛板製のターミナルフェンスであり、基板４ａの側部に複数の受止片６を立ち上げて設けると共に、基板４ａの端部には係止片７を立ち上げて対設し、この係止片７には係合孔７ａをそれぞれ形成してある。
【００１５】
合成樹脂製のターミナルカバー５は、下方に開口する略ボックス形を呈しており、前記ターミナルフェンス４に落とし込んで着脱可能に嵌着することにより保護部材１０（図２）を構成し、この保護部材１０によりターミナル２の外部電気接続部を被覆して保護するようにしてある。
【００１６】
このターミナルカバー５は、前記ターミナルフェンス４の複数の受止片４の内側に嵌合係止する側壁部分は、それぞれ外側に突起部５ａが形成されると共にこの突起部５ａの下方に傾斜面５ｂが内向きに形成されている。この場合、突起部５ａも下方に行くにつれて内側に傾斜する傾斜面に形成されている。これはターミナルカバー５の側壁部分をターミナルフェンス４の受止片６の内側に嵌入し易くし、且つ受止片６との間に隙間が生じないようにするためである。
【００１７】
又、ターミナルカバー５の対向する端壁の外側下部には、前記係止片７の係合孔７ａにそれぞれ係合する突起８が設けられている。この突起８は、図３（ａ）に示すように上端部が下向きに傾斜する傾斜面８ａに形成されると共に、下端部が従来と同じく上向きに傾斜する傾斜面８ｂに形成されている。
【００１８】
更に、図１のようにターミナルカバー５の一方の側部にはコード引き出し孔１１が設けられ、このコード引き出し孔１１に対向させてコード受け片１２がほぼＬ字形に突出して設けられ、当該コード受け片１２の上端縁に凹部１２ａが形成されている。
【００１９】
上記コード引き出し孔１１の周縁部にはひさし状の突起１３が設けられており、この突起１３のうち前記コード受け片１２の先端部１２ｂ側に対向する下端部に、前記コード３等の迂回を容易にするための湾曲部１３ａが切り欠きにより形成されている。又、コード受け片１２の先端部１２ｂも、コード３等の迂回を容易にするため湾曲状に形成して角張らないようにしてある。
【００２０】
本実施形態に係る保護部材１０は上記のように構成され、前記ターミナルカバー５をターミナルフェンス４に落とし込んで嵌着する際に、図３（ｂ）に示すように突起８は下端部の傾斜面８ｂが係止片７の係合孔７ａの下縁に係止し、上端部の傾斜面８ａが係合孔７ａの上縁に係止する。このため、前記のような寸法誤差Ｃが生じても、この寸法誤差Ｃは
突起８の上端部の傾斜面８ａにより吸収され、係合孔７ａに対して突起８を確実に嵌合させることができる。
【００２１】
これにより、従来のように寸法誤差Ｃによって突起８が係止片７の係合孔７ａに嵌合しないといった不具合が生じることはない。又、ターミナルカバー５の下縁は、ターミナルフェンス４の基板４ａの上面に当接するか、当該上面との間に僅かな隙間が生じるだけであるから、ターミナルカバー５の嵌着後に大きなガタツキが生じることもない。
【００２２】
ターミナルカバー５の嵌着後に、前記電源側の３本のコード３と、リレー部品９に接続された２本のコード１４をまとめて一束にした状態で、前記コード引き出し孔１１から外部に引き出されたコード群１５を、コード受け片１２の先端部１２ｂを迂回させて上端縁の凹部１２ａに受止させる。これはコード群１５と密閉容器１の蓋体１ａとの接触を避けるためである。電動圧縮機の使用時においては、密閉容器１が高温になるためコード群１５を高熱から保護する必要がある。
【産業上の利用可能性】
【００２３】
本発明は、電動圧縮機のターミナル保護部材として広く適用することができる。
【図面の簡単な説明】
【００２４】
【図１】本発明に係る電動圧縮機のターミナル保護部材の実施形態を示す概略分解斜視図である。
【図２】本発明に係る電動圧縮機のターミナル保護部材を取り付けた状態を示す概略縦断面図である。
【図３】（ａ）は本発明に係る電動圧縮機のターミナル保護部材におけるターミナルカバーの突起を示す概略縦断面図、（ｂ）はターミナルカバーの突起とターミナルフェンスの係止片の係合孔との嵌合状態を示す概略縦断面図である。
【図４】従来例における電動圧縮機のターミナル保護部材を示す概略分解斜視図である。
【図５】従来例のターミナル保護部材において、ターミナルカバーの突起とターミナルフェンスの係止片の係合孔との嵌合状態を示すもので、（ａ）は嵌合前の状態、（ｂ）は嵌合後の状態をそれぞれ示す概略縦断面図である。
【図６】従来例のターミナル保護部材において、寸法誤差のためターミナルカバーの突起とターミナルフェンスの係止片の係合孔との不嵌合状態を示す概略縦断面図である。
【符号の説明】
【００２５】
１  密閉容器
２  ターミナル
３  コード
４  ターミナルフェンス
５  ターミナルカバー
６  受止片
７  係止片
７ａ  係合孔
８  突起
８ａ、８ｂ  傾斜面
９  リレー部品
１０  保護部材
１１  コード引き出し孔
１２  コード受け片
１３  ひさし状の突起
１４  コード
１５  コード群
【図１】
2010013986.tif 000003
【図２】
2010013986.tif 000004
【図３】
2010013986.tif 000005
【図４】
2010013986.tif 000006
【図５】
2010013986.tif 000007
【図６】
2010013986.tif 000008